(57)【要約】【課題】  表示手段が少ない曲名表示行数しかもたない場合であっても、多数の曲名表示行数をもつ表示手段と同等の曲表示を実現し、検索時間や操作性などの検索性能を改善した項目検索方法を提供する。【解決手段】  再生可能曲名を表示している行以外では、各曲名の先頭の３文字を３曲分表示する。このようにすることで、３行表示では再生可能曲名の前後に配置される曲名を６曲分確認でき、再生可能曲名を含め７曲分の曲名表示を可能にしている。さらに、２行表示では検索方向にあわせて再生可能曲名の配置を変えることで、検索に必要な情報を的確に表示する。【選択図】  図１
2008282122.tif 000002
【特許請求の範囲】
【請求項１】
所定の順序で配列された複数の項目を、操作手段からの信号に応じて、Ｎ（Ｎは２以上の整数）行表示可能な表示手段に順番に表示して所望の項目を検索する項目検索方法であって、前記表示手段は、Ｎ行のうちＭ（Ｍ＜Ｎ、Ｍは１以上の整数）行は１行に１項目を表示し、（Ｎ−Ｍ）行は１行に複数個の項目を表示することを特徴とする項目検索方法。
【請求項２】
前記表示手段は、Ｎが３かつＭが１である３行表示可能であって、３行のうちの中心行に１項目のみを表示し、中心行の上下に位置する２行は複数個の項目を表示することを特徴とする請求項１に記載の項目検索方法。
【請求項３】
前記表示手段は、Ｎが２かつＭが１である２行表示可能であって、検索方向が上方にある際は２行のうち上に位置する行に複数個の項目を表示し、もう一方の下に位置する行には１項目のみを表示し、また検索報告が下方にある際は２行のうち上に位置する行に１項目のみを表示し、もう一方の下に位置する行には複数個の項目を表示することを特徴とする請求項１に記載の項目検索方法。
【請求項４】
前記項目が、楽曲の曲名、アーティスト名及びアルバム名のうちのいずれか１つであることを特徴とする請求項１から２に記載の項目検索方法。
【請求項５】
前記項目が、地名及び施設名のうちのいずれか一方であることを特徴とする請求項１から２に記載の項目検索方法。
【発明の詳細な説明】
【技術分野】
【０００１】
本発明は、多数の項目から所望の項目を検索する項目検索方法に関し、特にハードディスクやフラッシュメモリ等の記録媒体に記録された多数の音楽データから所望の音楽データを検索するのに好適な項目検索方法に関するものである。
【背景技術】
【０００２】
近年、ハードディスクやフラッシュメモリを備え、数千曲分の音楽データ（音楽データ）を記録できるオーディオ装置が普及し始めている。音楽データには、曲名、アルバム名及びアーティスト名等のデータが付加されており、操作者はハードディスクやフラッシュメモリなどの記録媒体に記録されている音楽データから所望の音楽データを、曲名、アルバム名又はアーティスト名により検索することができる。
【０００３】
特開２００５−４８９１号公報などに示されるように、従来技術は、操作者が所望の音楽データを検索する場合、所定の操作を行うと、例えばフラッシュメモリに記録されている音楽データの曲名が文字コード順にソートされて表示手段に表示される。図１は従来の機器での表示の一例を示している。図７に示すように、表示手段は機器の筐体が大きければ一度に数曲分（図７の例では７曲分）の曲名表示が可能である。しかし、一般的に、オーディオ装置は筐体の更なる小型の要求が厳しく、表示手段を用いて一度に表示できる曲数は２〜３行程度しかない。
【特許文献１】特開２００５−４８９１号公報
【発明の開示】
【発明が解決しようとする課題】
【０００４】
上述したように、表示手段を備える機器の小型が進み、表示手段の曲名表示に用いることができる行数が少なくなることで、従来の検索方法より操作者が検索に必要な情報量が少なくなる。具体的には、１行に１曲分の表示をしていれば、７行では７曲分表示できるが、３行では３曲分しか表示できない。つまり、曲名の表示に用いることができる行数の減少にともない、１画面で認識できる曲数も減少する。このことにより、検索時間の増加や操作性の悪化などの検索性能の劣化を招くという課題がある。
【０００５】
本発明はこのような従来の課題を解決するもので、表示手段が少ない曲名表示行数しかもたない場合であっても、多数の曲名表示行数をもつ表示手段と同等の曲表示を実現し、検索時間や操作性などの検索性能を改善した項目検索方法を提供することである。
【課題を解決するための手段】
【０００６】
前記従来の課題を解決するために、本発明の項目検索方法は、所定の順序で配列された複数の項目を、操作手段からの信号に応じて、Ｎ（Ｎは２以上の整数）行表示可能な表示手段に順番に表示して所望の項目を検索する項目検索方法であって、前記表示手段は、Ｎ行のうちＭ（Ｍ＜Ｎ、Ｍは１以上の整数）行は１行に１項目を表示し、（Ｎ−Ｍ）行は１行に複数個の項目を表示することを特徴とする。
【０００７】
または、前記表示手段は、Ｎが３かつＭが１である３行表示可能であって、３行のうちの中心行に１項目のみを表示し、中心行の上下に位置する２行は複数個の項目を表示することを特徴とする。
【０００８】
または、前記表示手段は、Ｎが２かつＭが１である２行表示可能であって、検索方向が上方にある際は２行のうち上に位置する行に複数個の項目を表示し、もう一方の下に位置する行には１項目のみを表示し、また検索報告が下方にある際は２行のうち上に位置する行に１項目のみを表示し、もう一方の下に位置する行には複数個の項目を表示することを特徴とする。
【発明の効果】
【０００９】
本発明の項目検索方法は、表示手段が少ない曲名表示行数しかもたない場合であっても、多数の曲名表示行数をもつ表示手段と同等の曲表示を実現し、検索時間や操作性などの検索性能を改善する。
【発明を実施するための最良の形態】
【００１０】
図１は本発明の項目検索方法の一実施例を実現するオーディオ装置の構成を示すブロック図である。同図において、制御手段１００は、例えばマイクロコンピュータなどであり、記録媒体１０１から読み出した音楽データから付加データを分離抽出したり、圧縮されている音楽データをデジタルのオーディオデータに復号するなどの処理を行う。記録媒体１０１は、例えばフラッシュメモリやハードディスクなどであり、多数の音楽データを記録している。音楽データには、曲名、アルバム名及びアーティスト名およびそれらの読み（平仮名または片仮名）等の付加データが付加されており、操作者は記録媒体１０１に記録されている音楽データを検索する際、曲名、アルバム名又はアーティスト名を検索項目としてもちいる。操作手段１０２は、例えばエンター機能付きロータリーエンコーダ（いわゆるジョグダイヤル）や複数ＫＥＹなどであり、検索時は曲名の送り／戻しや選曲決定、再生時は音楽データの再生開始や停止、音量のＵＰ／Ｄｏｗｎなどを行うための操作者とのインターフェースを行う。表示手段１０３は、例えば液晶パネルなどであり、動作状況に応じて、操作メニューや再生中の音楽データの曲名、アーティスト名、アルバム名、または演奏時間を表示したり、検索中であれば、曲名などを表示する。ＤＡ変換手段１０４は制御手段１００から出力されるデジタルのオーディオ信号をアナログのオーディオ信号に変換する。増幅手段１０５はＤＡ変換手段１５の出力信号を増幅し、出力端子１０６へ出力する。出力端子１０６はスピーカやヘッドホンなどと接続するための端子である。
【００１１】
図２は、図１で説明したオーディオ装置の概念図である。同一機能の手段などは同一番号を付して説明は省略する。オーディオ再生装置２００は、図１で説明したオーディオ装置のブロック図を更に具体化した概念図の一例である。更に操作手段１０２の構成の一例を更に具体的に説明している。操作手段１０２は、ボタンＵ２０１、ボタンＬ２０２、ボタンＤ２０３、ボタンＲ２０４、ボタンＣ２０５、ボタンＳ２０５から成り立ち、ボタンＵ２０１／Ｌ２０２／Ｄ２０３／Ｒ２０４を用いてメニュー選択やカーソル移動を行い、ボタンＣ２０５を用いて選択項目の決定を行う。ボタンＳ２０５は、曲名検索などを開始する場合などに押下される。
【００１２】
図３は、記録媒体１０１に記録されている音楽データの曲名の一覧を示すプレイリストの一例である。例えば音楽データの曲名が読みの順にソートされているデータである。
【００１３】
以上のように構成されたオーディオ再生装置２００の曲名検索手順を図４を記す。以下に示す動作は主に制御手段１００を用いて行われる。制御手段１００は操作者により検索ボタンＳ２０６が押下されたことを検出すると表示手段１０３に検索に必要な音楽データの情報のひとつである曲名を表示する。表示された曲名を再生する場合は決定ボタンＣ２０５を押下し、違う曲を再生する場合はボタンＵ２０１やボタンＤ２０３を用いて表示手段１０３に表示する曲名を順次スクロールして異なる曲名の表示を行う。スクロールの結果再生する曲名が表示されると決定ボタンＣ２０５を押下し、再生する曲名の表示が無ければ順次スクロールを繰り返す。決定ボタンＣ２０５が押下されると再生する曲名が決定され項目検索が終了し曲の再生が行われる。
【００１４】
以上の検索を行っている最中の表示手段１０３での表示方法について図５、図６を用いて説明する。図５は、本発明の項目検索方法の表示に用いることができる行数が３行の場合の一例を示す図である。図１では７行の表示に用いることができる行数（以下、表示可能行数と略す）をもちいて７曲の曲名を表示しており、図５（ａ）は３行の表示可能行数を用いて７曲の曲名を表示している様子を示している。表示可能行数は図５（ａ）は図１より半分以下である。しかし、図５（ａ）に示す様に、再生可能曲名（例では、「逢えない夜には」）を表示している行以外では、各曲名の先頭の３文字を複数曲名（この例では３曲分）表示する。このようにすることで、再生可能曲名の前後に配置される曲名を６曲分確認でき、再生可能曲名を含め７曲分の曲名表示を可能にしている。図５（ｂ）は、再生可能曲名を１曲次（下）に進めた例である。操作者は表示手段１０３に表示された図５（ａ）の内容を確認し検索を次（下）に進めるために、操作手段１０２のボタンＤを用いてオーディオ再生装置２００に指示する。制御手段１００は操作手段１０２からの指示をもとに、記録媒体１０１から表示している次の音楽データの付加データを読み出し、曲名だけを分離抽出する。分離された曲名をもちいて、図５（ｂ）に示す様に、一番下の行の一番右に「明日へ」と表示する。この場合表示が１曲分進んでいるので、再生可能曲名は「青いさんご礁」となっている。図５（ｂ）でも、図５（ａ）と同様に、再生可能曲名を含め７曲分の曲名表示を可能にしている。曲名を表示検索する場合、上記の動作繰り返し行うことで、目的とする曲名を検索し、操作手段１０２のボタンＣ２０５により再生する曲名を決定し、記録媒体１０１から対象の音楽データの曲データを読み出し、制御手段１００で復号化し、ＤＡ変換手段１０４でアナログ信号に変換し再生する。
【００１５】
図６は、本発明の項目検索方法の表示可能行数が２行の場合の一例を示す図である。図６（ａ）では検索方向が図面上方向の場合であり、再生可能曲名を下に表示し、これから検索対象となる曲名（例では３曲分）を上に表示している。同様に図６（ｂ）では、検索方向が図面下方向の場合であり、再生可能曲名を上に表示し、これから検索対象となる曲名（例では３曲分）を下に表示している。図６で示す例では表示可能行数が２行であり、２行を用いて４曲の曲名を表示している。さらに、検索方向にあわせて再生可能曲名の配置を変え、検索方向の曲名を表示し先見性を改善している。
【００１６】
このことにより、本願発明の項目検索方法は、表示手段の表示可能行数が少ない場合であっても、多数の表示可能行数をもつ表示手段と同等の曲表示を実現する。さらに、２行表示では検索方向にあわせて再生可能曲名の配置を変えることで、検索に必要な情報を的確に表示する。
【００１７】
なお、上記実施の形態では、再生可能行数を３行と２行で説明したが、本発明はこれに限定されるものではなく、表示可能行数以上の曲を表示するために、１つの行に複数の曲名を表示する場合はすべて本発明の範囲内である。
【００１８】
また、再生可能曲名を表示している行以外では、各曲名の先頭の「３文字」を複数曲名表示するように説明し、さらに１行に「３曲名」の表示を行うように説明したが、本発明は、これら「３文字」「３曲名」に限定されるものではないことは言うまでも無い。
【００１９】
また、上記実施の形態では音楽データに曲名、アーティスト名及びアルバム名の読みのデータが付加されている場合について説明したが、本発明はこれに限定されるものではない。例えば、音楽データに読みのデータが付加されていない場合は、曲名、アーティスト名又はアルバム名を文字コード順にソートして表示するようにすればよい。
【００２０】
更に、上記実施の形態では、本発明を音楽データの検索に使用した場合について説明したが、これにより本発明の適用範囲が音楽データの検索に限定されるものでないことは勿論である。例えば、本発明は地名の検索や施設の検索等、種々の分野に適用することができる。
【産業上の利用可能性】
【００２１】
本発明に掛かる項目検索方法は、表示手段が少ない表示行数しかない場合であっても、多数の表示行数をもつ表示手段と同等の曲表示を実現している。さらに、２行表示では検索方向にあわせて再生可能曲名の配置を変えることで、検索に必要な情報を的確に表示する。これらにより、検索時間や操作性などの検索性能を改善した項目検索方法の用途にも適応できる。
【図面の簡単な説明】
【００２２】
【図１】本発明の項目検索方法の一実施例を実現するオーディオ装置の構成を示すブロック図
【図２】本発明の項目検索方法を実装したオーディオ装置の一例を示す概念図
【図３】音楽データの曲名の一覧を示すプレイリストの一例を示す図
【図４】本発明の項目検索方法のフローチャートの一例を示す図
【図５】本発明の項目検索方法の表示可能行数が３行の場合の一例を示す図
【図６】本発明の項目検索方法の表示可能行数が２行の場合の一例を示す図
【図７】従来の表示手段を用いて曲名を表示する一例を示す図
【符号の説明】
【００２３】
１００  制御手段
１０１  記録媒体
１０２  操作手段
１０３  表示手段
１０４  ＤＡ変換手段
１０５  増幅手段
１０６  出力端子
２００  オーディオ再生装置
２０１  ボタンＵ
２０２  ボタンＬ
２０３  ボタンＤ
２０４  ボタンＲ
２０５  決定ボタンＣ
２０６  検索ボタンＳ
【図１】
2008282122.tif 000003
【図２】
2008282122.tif 000004
【図３】
2008282122.tif 000005
【図４】
2008282122.tif 000006
【図５】
2008282122.tif 000007
【図６】
2008282122.tif 000008
【図７】
2008282122.tif 000009